(57)【特許請求の範囲】
【請求項１】
乗り場の壁に当接する壁側開口部及びこの壁側開口部に対向する前面に設けられた前面開口部を有し、前記乗り場の壁の高さ方向を長手方向とする中空のフレームと、
前記フレーム内に設けられ操作部及び表示部が前記前面開口部を通して露出する操作盤及び表示器と、
前記乗り場の壁に設けられ前記フレームの壁側開口部と係合する係合部を有する取付金具と、を備えたことを特徴とするエレベータ乗り場用操作表示装置。
【請求項２】
乗り場の壁に当接する壁側開口部及びこの壁側開口部に対向する前面に設けられた前面開口部を有し、前記乗り場の壁の高さ方向を長手方向とする中空のフレームと、
前記フレーム内に設けられ操作部及び表示部が前記前面開口部を通して露出する操作盤及び表示器と、
前記乗り場の壁に設けられ前記フレームの壁側開口部を固定する固定部材と、を備え、前記フレームは前記長手方向に伸縮自在な伸縮部を有することを特徴とするエレベータ乗り場用操作表示装置。
【発明の詳細な説明】
【０００１】
【発明の属する技術分野】
この発明は、エレベーターの乗り場に設けられる操作表示装置に関するものである。
【０００２】
【従来の技術】
図８は、例えば特開平１−２７５３８７号公報に示された従来のエレベーター乗り場操作表示器を示す正面図である。
図８において１は、エレベーターの乗り場、１ａは乗り場１の壁、１ｂは壁１ａの開口部に形成された出入口を開閉する乗り場の戸、１ｃは壁１ａの開口部の周囲に据付けられている三方枠、２はエレベーターを階床に呼び出す乗り場ボタン、３はかご室の現在位置を表示するインジケータ、４は呼び出し階に到着したことを表示するホールランタン、５はかご室が呼び出し階に到着した時に音声にて報知する音響装置である。これらの乗り場操作表示機器２〜５は、乗り場壁１ａに開口部を設けて埋設されており、図８の様な位置関係となっている。尚、上記の乗り場操作表示機器は、一般的な乗用エレベーターで設置されるものであり、福祉施設・医療機関では車椅子用操作機器などが同様な構造で付加される場合がある。
【０００３】
図９は、乗り場操作表示機器の配線構造をエレベーターの昇降路側から見た正面図である図において７は、エレベーターの昇降路であり、図８で示した乗り場１の壁１ａに埋設した乗り場操作表示機器２〜５から８の配線ケーブルが引き出されており、乗り場ボタン２から音響装置５にかけての配線ケーブル８は、配線ケーブルの損傷を防止する為に電線管９に覆われている。また、配線ケーブル８や電線管９を固定する取付金具１０、各操作表示機器を据え付けて固定する取付金具１１がそれぞれ必要である。
図１０は、図８の乗り場ボタンＡ−Ａ断面図である。図において１２は乗り場ボタン、１３はフェースプレート、１４は乗り場壁１ａの開口部に埋設する埋設箱、この埋設箱１４より配線用ケーブル８が引き出されている。また、他の乗り場操作表示機器２〜５も同様の構造となっている。
【０００４】
【発明が解決しようとする課題】
従来のエレベーター乗り場の操作表示機器は以上のように構成されていたので、図９に示す配線ケーブルや電線管を固定する取付金具１０、各操作表示機器を据え付けて固定する取付金具１１がそれぞれ必要であり、据え付け・配線作業に手間がかかるものとなっている。さらに各機器の埋設箱を取り付ける為の穴明け作業が加わり据え付けるまでに長時間を要すものとなっている。また、リフォーム時の改修作業にも時間を要するものになっていた。
【０００５】
この発明は、上記問題を解消するためになされたもので、ユニット化することにより、乗り場壁の加工を少なくし、乗り場操作表示装置の設置も容易にでき、据え付け現場での作業効率を向上させるとともに、配線ケーブルや各操作表示機器を固定する取付金具等の部品を削減することを目的とする。
【０００６】
【課題を解決するための手段】
この発明に係るエレベーター乗り場用操作表示装置は、乗り場の壁に当接する壁側開口部及びこの壁側開口部に対向する前面に設けられた前面開口部を有し、前記乗り場の壁の高さ方向を長手方向とする中空のフレームと、前記フレーム内に設けられ操作部及び表示部が前記前面開口部を通して露出する操作盤及び表示器と、前記乗り場の壁に設けられ前記フレームの壁側開口部と係合する係合部を有する取付金具と、を備える。
【０００７】
また、乗り場の壁に当接する壁側開口部及びこの壁側開口部に対向する前面に設けられた前面開口部を有し、前記乗り場の壁の高さ方向を長手方向とする中空のフレームと、前記フレーム内に設けられ操作部及び表示部が前記前面開口部を通して露出する操作盤及び表示器と、前記乗り場の壁に設けられ前記フレームの壁側開口部を固定する固定部材と、を備え、前記フレームは前記長手方向に伸縮自在な伸縮部を有する。
【０００８】
【発明の実施の形態】
以下、この発明の実施の形態を図について説明する。
なお、各実施の形態及び従来例と共通する部分については、同一符号を付しその説明を省略する。
【０００９】
実施の形態１．
図１は、この発明の乗り場操作表示装置を乗り場側から見た斜視図、図２（ａ）は、この発明の乗り場用操作表示装置を背面側から見た斜視図、図２（ｂ）は乗り場用操作表示装置が固定される壁を示す斜視図、図３は乗り場操作表示装置を背面側から見た斜視図、図４は図２（ａ）のＡ−Ａ断面図である。
図において１４は、乗り場用操作表示装置の全体を示し、１５はその本体部分を構成するフレームである。このフレーム１５の開口部は乗り場１の壁１ａに当接され、上下方向を長手方向として設置され、第４図に示すように横断面がほぼ半円形をなし、内側部分に空間部を有する形状をしている。
１５ａは、フレーム１５の乗り場正面側のほぼ中央部分に設けたフェースプレートで、このフェースプレート１５ａはフレーム１５と一体で構成されて、フレーム１５の内側に面する裏面には乗り場操作盤１６が取付けられている。１６ａは乗り場操作盤１６に設けられた乗り場ボタンで、フェースプレート１５ａに設けた前面開口部である貫通穴を通して乗り場１側へ突出し乗客が操作できるよう構成されている。
１６ｂは多機能ディスプレイで乗客が操作ボタン１６ｃを適宜操作することにより、例えばエレベーターのサービス階の案内等の情報を表示するものである。１６ｄは音響装置でかごの到着等を音声で知らせるものである。多機能ディスプレイ１６ｂ、操作ボタン１６ｃ、音響装置１６ｄはいずれも乗り場ボタン１６ａと同様に乗り場操作盤に設けられ、フェースプレート１５ａの貫通穴を通して要部が乗り場１に面して配置される。
１７はフレーム１５の内側に取付られた表示器である位置表示器で、かごの位置を知らせる表示板１７ａがフレーム１５に設けた前面開口部である窓穴１７ｂを通して乗り場１側から見られるよう配置してある。
【００１０】
図２は、乗り場用操作表示装置１４の壁１ａに対する取付け方法を説明した斜視図である。
図において、１８はフレーム１５を壁１ａに固定するための取付金具、１８ａは取付金具１８の一部をなしフレーム１５側へ突出して先端がくさび形をした係合部、１９は取付金具１８を壁１ａに固定するためのアンカーボルトである。
図３は、乗り場操作盤１６及び位置表示器１７への配線構造を示した図である。図において２６はエレベーターの機械室（図示せず）に設置された制御盤（図示せず）と乗り場用操作表示装置１４とを接続する一束のケーブルでこのケーブル２６はフレーム１５の内部で複数本のケーブルに分かれ、ケーブル２６ａは乗り場操作盤１６へ、またケーブル２６ｂは位置表示器１７に接続されている。
【００１１】
次に動作について説明する。乗り場用操作表示装置１４は、乗り場１の壁１ａにアンカーボルト１９により取付金具１８が固定され、この取付金具１８の係合部１８ａに対応するフレーム１５には取付穴１５ｂが設けられている。そして係合部１８ａに取付穴１５ｂを押し込むことにより取付金具１８とフレーム１５とが係合状態となる。これにより乗り場用操作装置１４が壁１ａ部分に設置される。
また、ケーブル２６の外方端にはコネクタ２６ｃが設けられ、このコネクタ２６ｃにはエレベーターの機械室に設置された制御盤（図示せず）から引き出されたケーブル（図示せず）が接続される。これにより乗り場用操作表示装置１４と制御盤との間でエレベーター操作上の信号等が送受信される。なお、ケーブル２６は壁１ａに設けたケーブル引出し用穴２８（図２に示す）を経て制御盤に接続される。
【００１２】
以上のように、乗り場ボタン、かご位置表示用のインジケータ、ホールランタン、音響装置等がフレームにまとめて一体に組み付けられユニット化されている。このため従来のように各構成品を生産工場から別個に運搬して現場の壁に取付る必要がなく、据付け現場で各構成品に昇降路側から電気配線を行う必要もなく、制御盤との接続もコネクタにより容易にすることができる。
さらに、フレームは壁に埋設する構造ではないため、壁に対して穴明け作業を必要としない。
従って、据付け現場において、据付け時間の短縮、据付け費用の削減を図ることができる。
さらに、保守点検時にはフレームに一体で組み付けられた各構成品を点検すればよく、従来のように壁に分散して配置させた各構成品の間を移動して点検する必要がない。このため点検時の作業効率を向上させることができる。
【００１３】
実施の形態２．
図５（ａ）はエレベーター乗り場階床から天井までの高さが低いエレベーター乗り場を示し、図５（ｂ）は高い場合を示す。図において１は乗り場であり、２１は乗り場１に取付られている幕板付三方枠２１ａは幕板、２２は幕板付三方枠の開口部に形成された出入口を開閉する乗り場の戸、１４は乗り場操作表示装置である。また、Ｈは、乗り場階床から天井までの高さ寸法を示しており、ビルの用途によりＨ寸法は変化する。
【００１４】
図６に、図５の乗り場操作表示装置１４のＣ−Ｃ断面図、図７に乗り場操作表示装置１４の斜視図を示す。
図において１４ａは乗り場操作表示装置の上端部、２３は乗り場操作表示装置１４の頭部、２４は伸縮部である。この場合伸縮部２４は、乗り場操作表示装置１４の内経ｒが外経となる円筒形をしており、断面が正円を半分に切断した形状をしている。これにより上端部２３を上下方向にスライドする。
実施の形態１の図２に示された取付け具１８はフレーム１５の取付け取外しはフレーム１５を上下方向にずらしながら取付けた方が容易であり、フレーム１５が床と天井に当接している場合、上端部２３を下方向にスライドして取付け取外しを行う。
また、実施の形態１の図２に示されたコネクタ２６Ｃが天井側にある場合、伸縮部２４を伸ばしてフレーム１５を天井に当接させ、ケーブル２６が露出しないようにする。
【００１５】
以上のように、乗り場操作表示装置の高さ調整が可能であり、ビルの用途により天井の高さが変わっても、フレームの高さを乗り場階床と天井間の距離に対応した高さとすることができ、ケーブル等の露出させずに床または天井側からケーブルの接続ができる。
また、フレームの取り付け取り外しを容易にすることができる。
【００１６】
【発明の効果】
以下のように、この発明によれば乗り場の壁に当接する壁側開口部及びこの壁側開口部に対向する前面に設けられた前面開口部を有し、前記乗り場の壁の高さ方向を長手方向とする中空のフレームと、前記フレーム内に設けられ操作部及び表示部が前記前面開口部を通して露出する操作盤及び表示器と、前記乗り場の壁に設けられ前記フレームの壁側開口部と係合する係合部を有する取付金具と、を備えるので、据付けが容易にでき、また、乗り場の壁側から容易に点検することができる。
また、乗り場の壁に当接する壁側開口部及びこの壁側開口部に対向する前面に設けられた前面開口部を有し、前記乗り場の壁の高さ方向を長手方向とする中空のフレームと、前記フレーム内に設けられ操作部及び表示部が前記前面開口部を通して露出する操作盤及び表示器と、前記乗り場の壁に設けられ前記フレームの壁側開口部を固定する固定部材と、を備え、前記フレームは前記長手方向に伸縮自在な伸縮部を有するので、据付けが容易にでき、また、乗り場の壁側から容易に点検することができる。
【図面の簡単な説明】
【図１】この発明の実施の形態１の乗り場操作表示装置を示す斜視図である。
【図２】この発明の実施の形態１の乗り場操作表示装置の取付方法を示す斜視図である。
【図３】この発明の実施の形態１の乗り場操作表示装置裏面の配線を示す斜視図である。
【図４】図２のＡーＡ断面図である。
【図５】この発明の実施の形態２の乗り場操作表示装置を示す斜視図である。
【図６】図５のＣーＣ断面図である。
【図７】この発明の実施の形態２の乗り場操作表示装置裏面の斜視図である。
【図８】従来例の乗り場操作表示機器の配設を示す斜視図である。
【図９】従来例の乗り場操作表示機器の配線構造を示す斜視図である。
【図１０】従来例の乗り場ボタン埋設後の断面を示す断面図である。
【符号の説明】
１  乗り場、１ａ  乗り場の壁、１４  乗り場用操作表示装置、１５  フレーム、１６  乗り場操作盤、１７  位置表示器、１７ｂ  窓穴、１８  取付金具、２４  伸縮部、２６  ケーブル、２６ｃ  コネクタ。
【図１】
0003570054.tif 000002
【図２】
0003570054.tif 000003
【図３】
0003570054.tif 000004
【図４】
0003570054.tif 000005
【図５】
0003570054.tif 000006
【図６】
0003570054.tif 000007
【図７】
0003570054.tif 000008
【図８】
0003570054.tif 000009
【図９】
0003570054.tif 000010
【図１０】
0003570054.tif 000011